(57)【要約】【課題】人為的なミスや、操作忘れ等により飲み忘れを回避することが可能で、飲み忘れ防止につながる薬箱を提供することを課題とする。【解決手段】朝、昼、夜を表示するコマと曜日を表示するコマを同一軸に配置し、収納部の開閉動作により軸を回転させ、軸に固定されたコマが連動し朝、昼、夜の表示を切り替えるラチェット機構と、夜から朝に切り替わるときに、軸に固定されない曜日コマの表示が切り替わるクラッチユニットを設けたことを特徴とする。【選択図】図１
2019080659.tif 000002
【特許請求の範囲】
【請求項１】
軸を回転させるピニオンギア外周部にコイルバネとピン受け部を設け、朝、昼、夜を表示する日コマと同一軸に配置し、収納部が閉じられると、押込みピンによりピン受け部が押込しこまれて軸が回転し、軸に固定された日コマが連動して朝、昼、夜の表示を切り替え、収納部が開放されピン受け部が初期位置に戻るときに、ピニオンギアが軸に対して空回りするラチェット機構を設けたことを特徴とする飲み忘れ防止薬箱。
【請求項２】
軸を回転させるピニオンギアとラックギアを設け、朝、昼、夜を表示する日コマと同一軸に配置し、収納部が閉じられると、押込みピンによりラックギアが押込しこまれて軸が回転し、軸に固定された日コマが連動して朝、昼、夜の表示を切り替え、収納部が開放されラックギアが初期位置に戻るときに、ピニオンギアが軸に対して空回りするラチェット機構を設けたことを特徴とする飲み忘れ防止薬箱。
【請求項３】
軸を回転させるピニオンギアと、朝、昼、夜を表示する日コマと、曜日を表示する曜日コマを同一軸に配置し、ラックギアが収納部の開閉動作により軸を回転させ、軸に固定された日コマが連動して朝、昼、夜の表示を切り替え、夜から朝に切り替わるときに、軸に固定されない曜日コマの表示が切り替わるクラッチユニットを設けたことを特徴とする飲み忘れ防止薬箱。
【請求項４】
前記クラッチユニットは、溝コマとクラッチで構成され、溝コマにはクラッチを移動させるための溝を有し、クラッチには溝コマの溝に嵌合する溝ピンと曜日コマを回転させる回転駆動ピンを有することを特徴とする請求項３に記載の飲み忘れ防止薬箱。
【発明の詳細な説明】
【技術分野】
【０００１】
本発明は薬の飲み忘れを防止するための薬箱に関する。
【背景技術】
【０００２】
近年、医療機関から処方される薬の量が増え、服用する側の管理が煩雑し、飲み忘れなどの要因になっている。
例えば、特開２００７−００７３６５号公報には、これらの飲み忘れを防止するため、内部を３個の薬収容部に分割した箱体と、突起部を設けた２個の内蓋と、突起部に対応する３個の貫通孔を設けた外蓋からなる薬箱で、その貫通孔を朝、昼、夜等と特定できるように表示し、外蓋の裏面に、朝、昼、夜にそれぞれの飲む薬の種類、量を記載したシール等を貼り、各薬収容部に薬を収容しておき、薬を飲むときは、内蓋を横にスライドさせて薬収容部から薬を取り出し、そのまま外蓋を閉めると、外蓋の穴にある突起部の位置を確認すると、薬を取り出した薬収容部の上に内蓋がないため、飲んだことの判断ができる技術が公開されている。
【０００３】
一方、特開２０１２−０００２１７号公報には、「曜」「朝」「昼」「晩」の表示のある開口部を有する箱の内部に７角柱の回転体を入れて回転可能とする。回転体には朝昼晩の各表示の許に夫々受け皿があり、薬の廃棄包装材を、服薬時期として該当する表示の許の受け皿に投入すれば、受け皿内の廃棄包装材の有無により服薬の事実が確認されて重複服薬と飲み忘れが防止できる技術が公開されている。
【先行技術文献】
【特許文献】
【０００４】
【特許文献１】特開２００７−００７３６５号公報（０００４、図１）
【特許文献２】特開２０１２−０００２１７号公報（０００８、図１）
【発明の概要】
【発明が解決しようとする課題】
【０００５】
しかしながら、このような薬箱であっても人為的なミスや、操作忘れ等により飲み忘れが発生してしまう可能性が否定できないことから、人為的なミスや、操作忘れの回避が可能で、飲み忘れ防止につながる薬箱を提供することを課題とする。
【課題を解決するための手段】
【０００６】
小型で食卓など目につき易い所に常時置くことが可能で、服薬時に収納部の開閉動作を行うことで、次回服薬時の表示に切り替わる表示部を有する薬箱である。
【０００７】
軸を回転させるピニオンギア外周部にコイルバネとピン受け部を設け、朝、昼、夜を表示する日コマと同一軸に配置し、収納部が閉じられると、押込みピンによりピン受け部が押込しこまれて軸が回転し、軸に固定された日コマが連動して朝、昼、夜の表示を切り替え、収納部が開放されピン受け部が初期位置に戻ると、ピニオンギアが軸に対して空回りするラチェット機構を設けたことを特徴とする。また、ピン受け部に換えてラックギアを設けてもよい。
【０００８】
朝、昼、夜を表示するコマと曜日を表示するコマを同一軸に配置し、収納部の開閉動作により軸を回転させ、軸に固定されたコマが連動し朝、昼、夜の表示を切り替え、夜から朝に切り替わるときに、軸に固定されない曜日コマの表示が切り替わるクラッチユニットを設けたことを特徴とする。
【０００９】
前記クラッチユニットは、溝コマとクラッチで構成され、溝コマにはクラッチを移動させるための溝を有し、クラッチには溝コマの溝に嵌合する溝ピンと曜日コマを回転させる回転駆動ピンを有する。
【発明の効果】
【００１０】
薬服用時の収納部の開閉により、表示が切り替わり服用の有無が確認できることで、薬の飲み忘れを防止する効果が期待できる。
【００１１】
具体的な一例を示すと、前立腺肥大で尿の排泄を有利にするための薬があり、服薬のタイミングに服薬を忘れると排尿ができなくなり、この苦しみを解消するためには、医療機関で尿道より管を挿入して排尿を行う必要がある。服薬を確実に実行することが重要で、服薬管理を的確に行えることが重要な要素である。
【図面の簡単な説明】
【００１２】
【図１】本実施形態の一例の背面透視図
【図２】本実施形態一例の平面図
【図３】本実施形態の一例の右側面透視図
【図４】本実施形態の一例の背面透視図
【図５】本実施形態一例の平面図
【図６】本実施形態の一例の右側面透視図
【図７】実施例１−２の全体平面図
【図８】実施例１−２の側面透視図
【図９】本実施形態の一例の背面透視図
【図１０】本実施形態の１コマ送り後の背面透視図
【図１１】本実施形態の２コマ送り後の背面透視図
【図１２】本実施形態の３コマ送り後の背面透視図
【図１３】本実施形態の一例の平面図
【図１４】クラッチユニットの正面図と側面図
【図１５】溝コマの展開図
【図１６】クラッチの移動ステップを示す平面図
【図１７】実施例３の全体平面図
【図１８】実施例３の側面透視図
【発明を実施するための形態】
【実施例１】
【００１３】
本発明の飲み忘れ防止薬箱について、図面を引用して説明する。
【００１４】
本発明の全体図は図７に示すとおり、曜日と朝昼夜の１日の区分を表示する表示部２０と、薬を収納する収納部２１とで構成される。収納部２１は１回服用分の薬を収納する収納部を複数有している。例えば、朝、昼、夜の服用分を複数日分格納できることが望ましい。表示部２０は薬を収納部２１から取出し、収納部２１を閉めることにより表示を切り替える機構を有するものである。
【００１５】
図１は表示部の背面透視図、図２は平面図を示すもので、筐体１４に軸１３を固定し、軸１３には日コマ５、ピニオンギア９を配置し、軸１３と一緒に回転するようにする。ピニオンギア９と軸の間にはラチェット機構を設け、ピニオンギア９の外周面であって底面部には、押込みピン１８を受けるピン受け部３１を設ける。ピニオンギアに換えて、円筒板や多角形の板を用いてもよい。
【００１６】
ピニオンギア９の中心部である軸受部に設けたラチェット機構により、収納部２１が閉じられ押込みピン１８によりピン受け部３１が押しこまれることで軸１３が回転し、収納部２１が開放され押込みピン１８が戻る際には軸１３に対しピニオンギア９を空回りさせる。
ピニオンギア９の外周に設けたコイルバネ３３の反動力により、収納部２１が開放された際に初期位置に戻るようにしている。これにより、収納部２１が閉められる時にのみ、ピニオンギア９により軸１３が６０度回転する。
【００１７】
押込みピン１８の押込み長さは、軸１３が６０度回転できる長さとする。コイルバネ３３はピニオンギア９の外周面と収納部１４の底面とを固定部３２で固定する。図１３に示すように、ピン受け部３１に換えてラックギア１０を用いてもよい。この場合、ラックギアの前方側にコイルバネ１７を設けることで、ラックギアが往復運動可能とする。
【００１８】
日コマ５は、６角形で形成され、各面に朝、昼、夜、朝、昼、夜の順で表示されている。６角形であるため、各面は６０度単位で入れ替わることとなり、前記ピン受け部３１が１回押込まれることにより、表示を切り替えることができる。日コマ５の面に板バネ１１の面を平行に当たるように設けることで、板バネ１１の押し圧力により日コマ５の面と板バネ１１の面が矯正され、日コマ５の回転過不足による誤差を修正することができる。
【００１９】
収納部の開閉を繰り返すことで、朝、昼、夜の表示切り替えを行うことができ、薬を取出し収納部を閉めることで、次の薬を飲む時に表示が切り替わる。図７は本発明の全体平面図、図８は側面透視図で、収納部２１に設けた押込み用ピン１８が押込まれる前の状態を示している。
【実施例２】
【００２０】
日コマ５には位置制御用コマ６を設け、前記位置制御用コマの面に板バネ１１の面を平行に当たるように設けることで、位置制御用コマの面と板バネの面が板バネの押し圧力で矯正され、日コマ５の回転過不足による誤差を修正することができる。日コマ５に直接板バネが当たらないため、日コマ５の面のすりキズ防止を図ることができる。
【実施例３】
【００２１】
図９は表示部の背面透視図、図１３は平面図を示すもので、筐体１４に軸１３を固定し、軸１３にはピニオンギア９、日コマ５、クラッチユニット１９、曜日コマ７を配置する。ピニオンギア９、日コマ５、クラッチユニット１９は軸１３に固定し、軸と一緒に回転するようにする。曜日コマ７は軸１３に固定せず、軸の回転に連動しないようにする。  
【００２２】
ピニオンギア９にはラックギア１０を噛合わせ、ラックギア１０をスライドさせた分だけピニオンギア９が回転する。ラックギア１０の先端にはコイルバネ１７を設け、スラウドされた後、元に位置に戻るようにする。ラックギアの後端には、押込み用ピン１８を設け、収納部２１が閉められることにより、押込み用ピン１８が収納部２１の後端部で押込こみ、ラックギア１０をスライドさせる。スライドさせる量は、軸１３が略６０度分回転する量とする。
【００２３】
ピニオンギア９にはラチェット機構を設け、ラックギア１０が元の位置に戻る際、軸１３に対して空回りするようにする。これにより、収納部２１が閉められる時にのみ、ラックギア１０とピニオンギア９により、軸１３が６０度回転する。
【００２４】
日コマ５は、６角形で形成され、各面に朝、昼、夜、朝、昼、夜の順で表示されている。６角形であるため、各面は６０度単位で入れ替わることとなり、前記ラックギア１０が１回押込まれることにより、表示を切り替えることができる。曜日コマ７は、７角形で形成され、各面に月、火、水、木、金、土、日の順で表示されている。曜日コマ７は、日コマ５が夜から朝に切り替わる時にのみ１コマ分切り替わる必要がある。従って、軸１３に固定せず、軸１３の回転に連動しないようにしておき、クラッチユニット１９により表示を切り替わるようにする。
【００２５】
図１４に示すとおり、クラッチユニット１９は、クラッチ１と溝コマ３で構成され、クラッチ１の外径部には、曜日コマ７側に向けて回転駆動ピン２を、内径部には軸１３側に向けて溝用ピン１５を設け、溝コマ３には溝用ピン１５を嵌合させる溝１６を設ける。溝コマ３は軸１３に固定されているため、軸１３の回転に伴い回転する。ラックギア１０が１回押込まれ軸１３が６０度回転すると、同様に溝コマ３も回転し、溝１６に嵌合された溝用ピン１５により、クラッチ１が曜日コマ７に向かって移動する。もう1度ラックギア１０が押込まれると、クラッチ１の回転駆動ピン２が曜日コマ７に接触する位置まで移動する。更にもう1度ラックギア１０が押込まれると、曜日コマ７に接触したクラッチ１の回転駆動ピン２との摩擦力により、曜日コマ７が回転し表示が切り替わる。
【００２６】
上記を繰り返すことで、朝、昼、夜の表示切り替えと、夜から朝へ切り替わる時にのみ曜日の切り替えを行うことができる。図１０〜１２は、コマ送りの経過を示す背面透視図で、図１８は側面の透視図で、収納部２１が押込み用ピン１８を押込む手前の状態を示している。
【００２７】
クラッチユニット１９と曜日コマ７の間には、コイルバネ４が設けられ、曜日コマ７の表示が切り替ったあたりで、溝１６が元の位置の戻るように配置されており、コイルバネ４の戻り力により、溝用ピン１５が溝１６に沿って移動することで、クラッチ１が元の位置に戻ることとなる。曜日コマ７と回転駆動ピン２の互いの接触面には、摩擦抵抗が大きくなるような加工を施してもよい。図１６は溝コマ３の回転に伴いクラッチ１が移動する経過を示す平面図である。
【００２８】
図１５に示すように、溝コマ３の溝１６は、初期位置から回転角度で略１２０度までは直線的な傾斜を形成し、この位置から回転角度で略１８０度までは平行な直線と初期位置へ戻すため垂直的に配置する。前記平行な直線は、短めにして若干下降方向へ傾斜を設けることで、曜日コマ７を回転させた後、溝用ピン１５が初期位置へ戻る垂直的な溝へ誘導し易くなる。ラックギア１０の１回の駆動による軸１３の回転角度は略６０度で、日コマ５の表示切替え角度とほぼ同じであるが、曜日コマ７は７角形であり、表示を切り替えるために必要な角度は略５１．４度であることから、この角度差を利用するものである。
【００２９】
日コマ５には位置制御用コマ６を、曜日コマ７には位置制御用コマ８を設け、それぞれの位置制御用コマの面に板バネ１１、１２の面を当てるように設けることで、位置制御用コマの面と板バネの面が板バネの押し圧力で矯正され、日コマ５の回転過不足による誤差を修正することができる。更に、前述の角度差を利用するときの、曜日コマ７の動作を制御する役割も担うことにもなる。
【実施例４】
【００３０】
本クラッチユニットの溝コマの溝の構造は、実施例１に限定されることはなく、用途に応じた溝を設計することで、面数の異なるコマを必要な時点において回転させる場合に応用が可能となる。
【産業上の利用可能性】
【００３１】
本発明の飲み忘れ防止薬箱は、工業生産が可能である。本発明のクラッチユニットは回転数の異なるコマを、任意の時点で回転させる機構に応用が可能である。
【符号の説明】
【００３２】
１  クラッチ    ２  回転駆動ピン    ３  溝コマ      ４  コイルバネ
５  日コマ      ６  位置制御用コマ  ７  曜日コマ    ８  位置制御用コマ
９  ピニオンギア    １０  ラックギア    １１  板バネ    １２  板バネ
１３  軸      １４  筐体          １５  溝用ピン    １６  溝
１７  コイルバネ    １８  押込みピン    １９  クラッチユニット
２０  表示部    ２１  収納部    ２２  取っ手
３１  ピン受け部    ３２  固定部    ３３  コイルバネ
【図１】
2019080659.tif 000003
【図２】
2019080659.tif 000004
【図３】
2019080659.tif 000005
【図４】
2019080659.tif 000006
【図５】
2019080659.tif 000007
【図６】
2019080659.tif 000008
【図７】
2019080659.tif 000009
【図８】
2019080659.tif 000010
【図９】
2019080659.tif 000011
【図１０】
2019080659.tif 000012
【図１１】
2019080659.tif 000013
【図１２】
2019080659.tif 000014
【図１３】
2019080659.tif 000015
【図１４】
2019080659.tif 000016
【図１５】
2019080659.tif 000017
【図１６】
2019080659.tif 000018
【図１７】
2019080659.tif 000019
【図１８】
2019080659.tif 000020
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
軸を回転させるピニオンギア外周部にコイルバネとピン受け部を設け、朝、昼、夜を表示する日コマと同一軸に配置し、収納部が閉じられると、押込みピンによりピン受け部が押し込まれて軸が回転し、軸に固定された日コマが連動して朝、昼、夜の表示を切り替え、収納部が開放され、コイルバネの反動力により、ピン受け部が初期位置に戻るときに、ピニオンギアが軸に対して空回りするラチェット機構を設けたことを特徴とする飲み忘れ防止薬箱。
【請求項２】
軸を回転させるピニオンギアとラックギアを設け、ラックギアの前方側にコイルバネを設け、朝、昼、夜を表示する日コマと同一軸に配置し、収納部が閉じられると、押込みピンによりラックギアが押し込まれて軸が回転し、軸に固定された日コマが連動して朝、昼、夜の表示を切り替え、収納部が開放され、コイルバネの反動力により、ラックギアが初期位置に戻るときに、ピニオンギアが軸に対して空回りするラチェット機構を設けたことを特徴とする飲み忘れ防止薬箱。
【請求項３】
軸を回転させるピニオンギアとラックギアを設け、ラックギアの前方側にコイルバネを設け、、朝、昼、夜を表示する日コマと、曜日を表示する曜日コマを同一軸に配置し、収納部が閉じられると、押込みピンによりラックギアが押し込まれて軸が回転し、軸に固定された日コマが連動して朝、昼、夜の表示を切り替え、収納部が開放され、コイルバネの反動力により、ラックギアが初期位置に戻るときに、ピニオンギアが軸に対して空回りするラチェット機構を設け、夜から朝に切り替わるときに、軸に固定されない曜日コマの表示を切り替えるクラッチユニットを設けたことを特徴とする飲み忘れ防止薬箱。
【請求項４】
前記クラッチユニットは、溝コマとクラッチで構成され、溝コマは軸に固定され軸の回転に連動して回転すると共にクラッチを移動させるための溝を有し、クラッチには溝コマの溝に嵌合する溝ピンと曜日コマを回転させる回転駆動ピンを有することを特徴とする請求項３に記載の飲み忘れ防止薬箱。